(57)【要約】【課題】脱水終了時に洗濯物を回転ドラム内壁から剥離することにより洗濯物の取り出しが簡単で、出し忘れがない。また、乾燥工程で満遍なく洗濯物に温風があたり乾燥ムラ、しわが低減できふんわりとした仕上げにすることができるドラム式洗濯乾燥機を提供する。【解決手段】傾斜方向に回転軸を有する回転ドラム５を内包する水受け槽３と、水受け槽３から熱交換器４０、送風手段１４、加熱手段１６を介して再び水受け槽３内へ送風する送風ダクト３ａと、送風口３２と、制御手段５２とを備え、送風口３２は水受け槽３の背面でかつ回転ドラム５の外周近傍に配設し、制御手段５２は、少なくとも脱水行程中に水受け槽３内に送風口３２から送風する構成とすることにより、脱水終了時、回転ドラム５の内壁から洗濯物が簡単に剥離されるので洗濯物の取り出しが簡単で出し忘れがなくなり、乾燥時の乾燥ムラ、しわが低減できふんわりとした仕上がりにすることができる。【選択図】図２
2006136600.tif 000002
【特許請求の範囲】
【請求項１】
周壁に多数の透孔を設けて円筒状に形成され傾斜方向に回転軸を有する回転ドラムと、本体内に弾性的に支持され前記回転ドラムを内包する水受け槽と、前記回転ドラムを回転駆動するモータと、前記回転ドラムの透孔から前記水受け槽と回転ドラムの間に排出された空気を前記水受け槽から熱交換器、送風手段、加熱手段を介して再び水受け槽内へ送風する送風ダクトと、前記送風ダクトを介し水受け槽内部へ送風する送風口と、前記モータ、送風手段、加熱手段などの動作を制御し洗濯物を洗い、すすぎ、脱水、乾燥する各行程を制御する制御手段とを備え、前記送風口は前記水受け槽の背面でかつ前記回転ドラムの外周近傍に配設し、前記制御手段は、少なくとも脱水行程中に前記水受け槽内に前記送風ダクトを介し前記送風口から送風する構成としたドラム式洗濯乾燥機。
【請求項２】
前記回転ドラムの有円背面に背面透孔を設けた請求項１に記載のドラム式洗濯乾燥機。
【発明の詳細な説明】
【技術分野】
【０００１】
本発明は、斜め方向に回転中心軸を有する回転ドラム内で洗濯、すすぎ、脱水、乾燥などの各行程を逐次制御するドラム式洗濯乾燥機に関するものである。
【背景技術】
【０００２】
従来、この種のドラム式洗濯乾燥機は図６に示すように構成していた。以下、その構成について説明する。
【０００３】
図６に示すように、本体１内に複数のサスペンション（図示せず）とダンパー２で水受け槽３を支持し、この水受け槽３の開口部４を蓋体（図示せず）により開閉し、水受け槽３内に回転軸を水平にし回転ドラム５を回転自在に配設している。そして、回転ドラム５をモータ６により回転駆動し、回転ドラム５に多数の透孔７と突起板８を設けている。給水用給水弁９は水受け槽３内に給水するもので、冷却水用給水弁１０は冷却水を給水するもので、それぞれ本体１に設けている。また、水受け槽３の底部に排水口１１を設け、この排水口１１を排水ポンプ１２を介して排水経路１３に連通している。代表的な送風手段である送風ファン１４は送風ホース１５を介して水受け槽３内に前方から送風するもので、他方ではこの送風ファン１４に代表的な加熱手段であるヒータ１６を連通し、水受け槽３内と送風ファン１４とを熱交換器１７により連通し、冷却用給水弁１０に直結され熱交換器１７に開口した冷却用ホース１８とによって一連の乾燥循環除湿経路を構成している。また、制御装置（図示せず）は、モータ６、送風ファン１４、ヒータ１６などの動作を制御し、入力設定手段（図示せず）により異なる洗い時間、すすぎ回数、脱水時間を有する「標準」コース、「スピーディー」コース、「毛布」コース、「ウール」コースなどの洗濯行程と、乾燥行程とを設定可能とし、設定したコースを逐次制御するとともに、洗い時間、すすぎ回数、脱水時間、乾燥時間を個別に設定可能としている（例えば、特許文献１参照）。
【０００４】
上記構成において動作を説明すると、蓋体を開いて回転ドラム５内に洗濯物を投入し、洗濯行程のコースを設定して運転を開始すると、給水用給水弁９が開き水受け槽３内に所定の水位まで給水する。つぎに、回転ドラム５はモータ６によって低速回転（例えば５０ｒ／ｍｉｎ）し、回転ドラム５内の洗濯物は突起板８によって持ち上げられては落下を繰り返し、洗剤水と水面に落下したときの衝撃力によって洗浄される。所定時間の洗い動作が実施されると排水ポンプ１２を駆動し、洗濯水は排水経路１３を通して排水する。すすぎ行程でも洗い行程と同様に給水用給水弁９が開き水受け槽３内に所定の水位まで給水する。つぎに、回転ドラム５はモータ６によって低速回転（例えば５０ｒ／ｍｉｎ）し、回転ドラム５内の洗濯物は突起板８によって持ち上げられては落下を繰り返し、水面に落下したときの衝撃力によってすすぎが行われる。所定時間のすすぎ動作が実施されると排水ポンプ１２を駆動し、洗濯水は排水経路１３を通して排水する。脱水行程では、回転ドラム５を左右交互に低速回転（例えば５０ｒ／ｍｉｎ）を行いすすぎで絡んだ洗濯物をほぐす布ほぐし行程、洗濯物が回転ドラム５の内壁に張り付く回転数（例えば９０ｒ／ｍｉｎ）まで徐々に上昇させる布バランス行程、回転ドラム５を低速回転（例えば９０ｒ／ｍｉｎ）を行い洗濯物の片寄りを判定するアンバランス判定行程、回転ドラム５を高速（例えば１０００ｒ／ｍｉｎ）で回転駆動する最終脱水行程が順次行われる。回転ドラム５内の洗濯物は前記布バランス行程が始まると次第に回転ドラム５内の壁面に張り付きだすが、このとき回転ドラム５の回転軸は水平に配設されているため前記回転ドラム５の円筒にドア側から背面側の広範囲にわたって張り付く。次に、回転ドラム５内の洗濯物の片寄り、すなわちアンバランスが生じると、回転ドラム５および水受け槽３は振動するが、サスペンションおよびダンパー２により振動を減衰して本体１に伝達されることはない。そして、アンバランス判定行程を経て最終脱水行程を終了したときには前記同様、洗濯物は回転ドラムの円筒のあらゆる箇所に張り付いた状態となっている。
【０００５】
また、洗濯行程と乾燥行程を設定すると、洗濯物を洗い、すすぎ、脱水した後、回転ドラム５を駆動し、回転ドラム５内の洗濯物を攪拌しながら、送風ファン１４とヒータ１６によって加熱された熱風を回転ドラム５内の衣類に吹き出し口１５から吹き付け、衣類内に含まれた水分を加熱し蒸発させる。さらに蒸気を含む高温の空気は熱交換器１７内に送られ冷却用給水弁１０から冷却用ホース１８を介して熱交換器１７内に供給された冷却水と混合し熱交換を行い冷却除湿される。
【特許文献１】特開平１１−３３３１８５号公報
【発明の開示】
【発明が解決しようとする課題】
【０００６】
しかしながら、前記従来の構成では、脱水行程で回転ドラムを高速で回転し遠心脱水しても洗濯物の表面には水分が付着しているため回転ドラムの内壁に洗濯物が張り付いた状態となり、脱水行程終了時に回転ドラムが停止しても洗濯物は回転ドラムの内壁に密着し剥がれ落ちてこないことから、洗濯物が取り出しにくく、回転ドラムの上面に密着した洗濯物は取り出しの際に死角となるため出し忘れの可能性もあった。また、脱水行程後に続き乾燥行程を行った場合は、洗濯物が回転ドラムに張り付いたまま洗濯物が乾燥するため、乾燥ムラ、しわが多くふんわり仕上げることができないという課題を有していた。そこで、前記課題を解決するために脱水行程の前に回転ドラムを低速で回す予備脱水と回転ドラムを左右交互に低速回転させ洗濯物を剥離させ、最終脱水行程後に剥離行程を設けて洗濯物を剥がし落とすことも行われているが、洗濯物が所定量以上の場合は、洗濯物の自重によって洗濯物数枚が剥離し始め、絡んでいた洗濯物が連鎖して次第に剥がれるか、もしくは前記剥離した洗濯物数枚が攪拌され回転ドラムの内壁に張り付いている洗濯物に頻繁に当たることから張り付いた洗濯物が次第に剥がれ始め剥離行程終了時に全ての洗濯物が剥離するが、洗濯物が所定量以下の場合は自重により洗濯物が剥がれないことから剥離行程が終了しても回転ドラム内壁に張り付いたままとなり前記同様の課題を有する。
【０００７】
本発明は、前記従来の課題を解決するもので、脱水行程の剥離行程終了時に洗濯物が回転ドラムの内壁から剥がれ落ちていることから、洗濯物が取り出し易く、出し忘れの無い、また、脱水行程に続き乾燥行程を行った場合にも洗濯物が回転ドラムの内壁から剥がれ落ちているため乾燥ムラ、しわがなくふんわりと仕上がるドラム式洗濯乾燥機を提供することを目的とする。
【課題を解決するための手段】
【０００８】
前記従来の課題を解決するために、本発明のドラム式洗濯乾燥機は、周壁に多数の透孔を設けて円筒状に形成され傾斜方向に回転軸を有する回転ドラムと、本体内に弾性的に支持され前記回転ドラムを内包する水受け槽と、前記回転ドラムを回転駆動するモータと、前記回転ドラムの透孔から前記水受け槽と前記回転ドラムの間に排出された空気を前記水受け槽から熱交換器、送風手段、加熱手段を介して再び前記水受け槽内へ送風する送風ダクトと、前記送風ダクトを介し前記水受け槽内部へ送風する送風口と、前記モータ、送風手段、加熱手段などの動作を制御し洗濯物を洗い、すすぎ、脱水、乾燥する各行程を制御する制御手段とを備え、前記送風口は前記水受け槽の背面でかつ前記回転ドラムの外周近傍に配設し、前記制御手段は、少なくとも脱水行程中に前記水受け槽内に前記送風ダクトを介し前記送風口から送風する構成としたものである。
【０００９】
これによって、脱水行程と並行して送風手段または送風手段と加熱手段を動作させ送風ダクトから送られてきた空気または熱風を、水受け槽の背面かつ回転ドラムの外周近傍に設けた送風口を介し洗濯物の近傍に位置する回転ドラムの透孔から効率よく洗濯物に吹き付けることにより、洗濯物を回転ドラムへ密着させている水分を次第に除去することが可能となる。
【発明の効果】
【００１０】
本発明のドラム式洗濯乾燥機は、脱水行程終了時に洗濯物の回転ドラムへの密着力が低下し、脱水行程の剥離行程にて回転ドラム内壁から全ての洗濯物が簡単に剥がれ落ちるため、洗濯物の取り出しが簡単で、出し忘れがない。また、脱水行程に続き乾燥行程を行った場合には、洗濯物に乾燥ムラ、しわがなくふんわりと仕上げることが可能となる。
【発明を実施するための最良の形態】
【００１１】
第１の発明は、周壁に多数の透孔を設けて円筒状に形成され傾斜方向に回転軸を有する回転ドラムと、本体内に弾性的に支持され前記回転ドラムを内包する水受け槽と、前記回転ドラムを回転駆動するモータと、前記回転ドラムの透孔から前記水受け槽と前記回転ドラムの間に排出された空気を前記水受け槽から熱交換器、送風手段、加熱手段を介して再び水受け槽内へ送風する送風ダクトと、前記送風ダクトを介し前記水受け槽内部へ送風する送風口と、前記モータ、送風手段、加熱手段などの動作を制御し洗濯物を洗い、すすぎ、脱水、乾燥する各行程を制御する制御手段とを備え、前記送風口は前記水受け槽の背面でかつ前記回転ドラムの外周近傍に配設し、前記制御手段は、少なくとも脱水行程中に前記水受け槽内に前記送風ダクトを介し送風口から送風する構成とすることにより、前記脱水行程と並行して送風手段または送風手段と加熱手段を動作させることによって送風ダクトから送られてきた空気または熱風を、水受け槽の背面かつ回転ドラムの外周近傍に設けた送風口を介し洗濯物の近傍に位置する回転ドラムの透孔から効率よく洗濯物に吹き付けることにより、洗濯物を回転ドラムへ密着させている水分を次第に除去することから洗濯物の回転ドラムへの密着力が低下し、脱水行程の剥離行程にて全ての洗濯物が簡単に剥がれ落ち、洗濯物の取り出しが簡単で、出し忘れがない。また、脱水行程に続いて乾燥行程を行った場合には、洗濯物に乾燥ムラ、しわがなくふんわりと仕上げることが可能となる。
【００１２】
第２の発明は、特に、第１の発明の回転ドラムの背面に背面透孔を設けることにより、洗濯物の近傍に位置する回転ドラムの透孔および背面透孔から効率よく洗濯物に空気または熱風を吹き付けることが可能となり、洗濯物を回転ドラムへ密着させている水分を次第に除去することから洗濯物の回転ドラムへの密着力が低下し、脱水行程の剥離行程にて全ての洗濯物が簡単に剥がれ落ち、洗濯物の取り出しが簡単で、出し忘れがない。また、脱水行程に続き乾燥行程を行った場合には、洗濯物に乾燥ムラ、しわがなくふんわりと仕上げることが可能となる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態におけるドラム式洗濯乾燥機の縦断面図、図２は、同ドラム式洗濯乾燥機の別の部位での縦断面図である。
【００１５】
図１に示すように、回転ドラム５は、有底円筒形に形成し外周部に多数の透孔７を全面に設け、水受け槽３内に回転自在に配設している。回転ドラム５の回転中心に傾斜方向に回転軸２１を設け、回転ドラム５の軸心方向を正面側から背面側に向けて下向きに傾斜させて配設している。この回転軸２１に、水受け槽３の背面に取り付けたモータ６を連結し、回転ドラム５を正転、逆転方向に回転駆動する。回転ドラム５の内壁面には数個の突起板２２を設けている。
【００１６】
水受け槽３の正面側の上向き傾斜面に設けた開口部を蓋体２３により開閉自在に覆い、この蓋体２３を開くことにより衣類出入口２４を通して回転ドラム５内に洗濯物を出し入れできるようにしている。蓋体２３を上向き傾斜面に設けているため、洗濯物を出し入れする際、腰を屈めることなく行うことができる。水受け槽３は本体１よりばね体２６とダンパー２により揺動可能に吊り下げており、水受け槽３の下部には、回転ドラム５の回転方向と直交する方向に排水溝２５が設けられており、排水溝２５には排水経路２６の一端を接続し、排水経路２６の他端を排水弁２７に接続して水受け槽３内の洗濯水を排水するようにしている。給水用給水弁９は給水経路２８を通して水受け槽３内に水を給水するものである。水位検知手段２９は水受け槽３内の水位を検知するものである。
【００１７】
次に、図２および図３において図１とは別の断面で乾燥機能の構成および動作について説明する。
【００１８】
図２および図３において、乾燥機能は、代表的な加熱手段であるヒータ１６、代表的な送風手段である送風ファン１４、および、そのヒータ１６と送風ファン１４とを内部に収容するファンケース３０を有し、ファンケース３０は本体１に取り付けられている。水受け槽３には、水受け槽３内の空気を取り入れる排気口３１を水受け槽３の胴部に設け、送風口３２を水受け槽３の背面でかつ回転ドラム５の外周近傍に位置するように設けている。また、この水受け槽３には、一端が排気口３１に連通するように熱交換部材収容室３３を一体に設け、その熱交換部材収容室３３の他端は、第１蛇腹ホース３４と糸屑回収フィルタ３５を介してファンケース３０の吸気端３６に接続されている。一方、ファンケース３０の排気端３７は、一端が水受け槽３の送風口３２に連通するように水受け槽３に一体に設けられた送風ダクト３ａの他端に第２蛇腹ホース３８を介して接続されている。また、回転ドラム５の背面には、送風口３２の対応位置に背面透孔３９が設けられ、送風口３２からの送風が、回転ドラム５内に送風されるよう構成されている。熱交換部材収容室３３には排気口３１の上方に正面側から背面側に向けて下向きに傾斜させて板状のアルミや樹脂製の熱交換部材（熱交換器）４０が取り付けられており、熱交換部材収容室３３は、熱交換部材４０により下部熱交換部材収容室４１と上部熱交換部材収容室４２に分割され、その下部熱交換部材収容室４１と上部熱交換部材収容室４２とは、連通口４３を介して熱交換部材４０の下端部４４側で連通しており、その経路は、略Ｕ字状をなしている。冷却用給水弁１０は、冷却用ホース１８を介し給水口金部４５から熱交換部材４０の上端部４６側に冷却水を給水するもので、冷却用給水弁１０と冷却用ホース１８と給水口金部４５とで冷却水給水手段を構成している。
【００１９】
乾燥行程において、白抜き矢印で示すように、送風ファン１４の回転により送風された空気は、ヒータ１６によって所定温度に加熱され、第２蛇腹ホース３８および送風ダクト３ａを介して、送風口３２から水受け槽３内に送風され、さらに背面透孔３９から回転ドラム５内に送風される。その加熱された温風は、回転ドラム５内の撹拌されている状態の湿った洗濯物から水分を奪い、湿気を有する温風となる。その後、湿気を有する温風は、回転ドラム５内から透孔７を通り、水受け槽３に排出され、さらに、排気口３１から熱交換部材収容室３３に送風される。
【００２０】
このとき、冷却用給水弁１０はＯＮ状態となっており、冷却水は給水口金部４５から熱交換部材４０の上端部４６側に落下し、破線矢印のように熱交換部材４０の上面４０ａを流れ、熱交換部材４０の下端部４４の先端部から下部熱交換部材収容室４１側に落下する。その後、その冷却水は下部熱交換部材収容室３３の底面に設けられ水受け槽３と連通した水抜き穴４８から水受け槽３内に排出され、排水経路２６を介して機外に排出される。排気口３１を介し熱交換部材収容室３３の下部熱交換部材収容室４１内に送り込まれた湿った温風は、まず熱交換部材４０の下面４０ｂと接触する。このとき、熱交換部材４０の上面４０ａを流れている冷却水により熱交換部材４０の下面４０ｂも冷却されているので、湿った温風とその熱交換部材４０の下面４０ｂとの間で熱交換作用が行われ、湿った温風は除湿される（第１除湿工程）。さらに、湿った温風は、連通口４３を介して熱交換部材４０の下端部４４側で上部熱交換部材収容室４２に送られるが、その際、湿った温風は、熱交換部材４０の下端部４４から落下する冷却水を巻き上げて飛散させ、その飛散した冷却水と熱交換作用が行われ、湿った温風は除湿されることとなる（第２除湿工程）。その後、湿った温風は、上部熱交換部材収容室４２に送られ、熱交換部材４０の上面４０ａおよびそこを流れる冷却水と接触する。このとき、冷却水の流れる方向と湿った温風が流れる方向とは対向している。これにより、湿った温風は、熱交換部材４０の上面４０ａおよびそこを流れる冷却水と熱交換作用が行われ、湿った温風は除湿されることとなる（第３除湿工程）。
【００２１】
このように、第１除湿工程、第２除湿工程および第３除湿工程の３つの除湿工程を経た湿った温風は、効率よく冷却され除湿された空気となり、第１蛇腹ホース３４、糸屑回収フィルタ３５を介してファンケース３０の吸気端３６からファンケース３０内に送られ、送風ファン１４に送られることとなる。
【００２２】
その後、上記のような空気の循環により、洗濯物は徐々に乾燥され、所定時間経過後、または、洗濯物が所定の乾燥度になると乾燥行程を終了する。
【００２３】
上記構成のドラム式洗濯乾燥機は、制御装置５１による制御動作により洗濯行程、すすぎ行程、脱水行程および乾燥行程が実行される。
【００２４】
図４は、制御装置５１の構成を示すもので、マイクロコンピュータによって構成された制御手段５２は、設定手段５４から入力される運転コースの選択などの設定入力に応じて表示手段５５に表示するとともに、記憶手段５６に記憶された制御プログラムを用いてパワースイッチング部５３に制御指令を出力する。パワースイッチング部５３はＳＣＲ等のスイッチング素子を用いて構成され、制御手段５２から出力される制御指令に応じてモータ６、給水用給水弁９、排水弁２７、ヒータ１６、送風ファン１４および冷却用給水弁１０などをＯＮ／ＯＦＦ制御する。
【００２５】
蓋体２３を開いて回転ドラム５内に洗濯物を投入し、給水用給水弁９に接続された洗剤投入部に所要量の洗剤を投入して電源スイッチ５８をＯＮに操作し、本体１の表面上に設けられた操作パネルにある設定手段５４から洗濯物の種類に応じて運転コースを選択入力し、運転開始の入力を行うことにより、制御手段５２は設定入力に対応する制御プログラムを記憶手段５６から読み出し、制御手順に応じた制御動作を開始する。最初に、制御手段５２は回転ドラム５を回転させて洗濯物の量を検知する。洗濯物の量に応じてモータ６が受ける負荷変化から布量検知手段５７が洗濯物の量を検知するので、検知された洗濯物の量は制御手段５２に入力され、記憶手段５６に記憶される。
【００２６】
まず、洗濯行程が開始され、給水制御と回転ドラム５の回転制御とが実行される。制御手段５２は給水用給水弁９を開いて水受け槽３内に給水する制御指令をパワースイッチング部５３に出力すると同時に、回転ドラム５を第１の所定回転速度で回転駆動する制御指令をパワースイッチング部５３に出力する。この制御動作により給水用給水弁９が開かれて給水経路２８を介して水道水が供給され、洗剤を混入した水が水受け槽３内に給水される。
【００２７】
給水された水受け槽３内の水位は、水受け槽３内に設けられた水位検知手段２９によって検出され、水位が洗濯動作を実施する第１の所定水位になったとき、水位検知手段２９は検知出力を制御手段５２に入力するので、制御手段５２は給水用給水弁９を閉じて給水を停止する制御指令をパワースイッチング部５３に出力し給水は停止される。
【００２８】
その後、モータ６により回転ドラム５が第１の所定回転速度で回転駆動される。第１の所定回転速度は、回転ドラム５内に収容された洗濯物が回転ドラム５の回転により回転方向に持ち上げられ、回転に伴う慣性や遠心力よりも自重が勝る高さ位置に移動したとき回転ドラム５の下方内周面上に落下する挙動を示す回転速度である。
【００２９】
回転ドラム５の内周面には複数位置に突起板２２が設けられており、回転ドラム５が所定速度で回転すると、突起板２２は回転ドラム５の内周面に接する洗濯物を引っ掛けて回転方向に持ち上げる。洗濯物はその自重が回転に伴う慣性や遠心力に勝る高さ位置まで持ち上げられたとき落下するので、回転ドラム５内に堆積する洗濯物も次々と持ち上げられて移動し、上方から落下するので、堆積状態がばらされると同時に落下による衝撃によって洗濯物に叩き洗いの作用が与えられる。
【００３０】
このとき、所定時間間隔で正転方向、逆転方向に回転方向が切り換えられることや水受け槽３内に給水された水は回転ドラム５の周面に多数形成された透孔７から回転ドラム５内にも侵入することから洗濯物の汚れに満遍なく洗剤泡が付着するようになり叩き洗いの効果が上がる。
【００３１】
第１の所定回転速度より遅い回転速度では洗濯物を持ち上げる作用は生じず、逆に第１の所定回転速度より早い回転速度では遠心力が大きくなるので、洗濯物は回転ドラム５の内周面に張り付いて落下しない状態となる。
【００３２】
所定時間にわたる洗濯動作が実施されると制御手段５２はパワースイッチング部５３にモータ６の回転を停止する制御指令を出力するので、回転ドラム５の回転は停止して洗濯行程が終了する。
【００３３】
洗濯行程後、すすぎ行程に入る。制御手段５２は排水弁２７を開く制御指令およびモータ６を駆動する制御指令をパワースイッチング部５３に順次出力し水受け槽３内にある洗剤水を排水し洗濯物に含まれる余分な洗剤水を回転ドラム５を高速回転で駆動し脱水する。その後、洗濯行程で行われたのと同じ動作で洗濯物を給水用給水弁９から供給された水ですすぐ。あらかじめ設定手段で入力されたすすぎ回数が実施されると制御手段５２はパワースイッチング部５３にモータ２５の回転を停止する制御指令を出力するので、回転ドラム５の回転は停止してすすぎ行程が終了する。制御手段５２は排水弁２７を開く制御指令をパワースイッチング部５３に出力し水受け槽３内のすすぎ水を排水する。
【００３４】
次に、図５は脱水行程中の回転ドラム５の回転数を示すものである。
【００３５】
脱水行程には、回転ドラム５を左右交互に低速回転Ｎ１（例えば５０ｒ／ｍｉｎ）を行いすすぎで絡んだ洗濯物をほぐす布ほぐし行程、洗濯物が回転ドラム５の内壁に張り付く回転数Ｎ２（例えば８０ｒ／ｍｉｎ）まで徐々に上昇させる布バランス行程、回転数Ｎ２で洗濯物の片寄りを判定する布アンバランス判定行程、洗濯物を高速回転Ｎ３（例えば１０００ｒ／ｍｉｎ）で回転駆動する最終脱水行程、および回転ドラム５を左右交互に低速回転Ｎ４（例えば５０ｒ／ｍｉｎ）を行い回転ドラム５の内壁に張り付いた洗濯物を剥離させる剥離行程が順次ある。
【００３６】
次に前記各行程の回転ドラム５の所定回転速度で回転駆動する制御指令をパワースイッチング部５３に出力する。ここで回転ドラム５は回転ドラム５の軸心方向を正面側から背面側に向けて下向きに傾斜させて配設しているため回転ドラム５が布ほぐし行程の回転数Ｎ１から布バランス行程の回転数Ｎ２へ至るまでの間、洗濯物は次第に回転ドラム５の背面へと移動し、洗濯物に水分が含まれているためその水分を介して回転ドラム５の背面近傍の円筒内壁に密着する。その後、洗濯物は回転ドラム５の背面近傍に張り付いたまま回転ドラム５が回転数Ｎ３で駆動され遠心脱水されることとなる。
【００３７】
ここで、この回転ドラム５の回転駆動と並行して、制御手段５２は送風ファン１４及びヒータ１６を駆動する制御指令をパワースイッチング部５３に出力すると、水受け槽３内の空気は排気口３１から熱交換部材収容室３３、糸屑回収フィルタ３５を介してヒータ１６で加熱され、ファンケース３０内部、送風ダクト３ａを介して送風口３２に熱風として送風される。送風された熱風は送風口３２が回転ドラム５の外周近傍に位置するため、布バランス行程で回転ドラム５の背面近傍の内壁に張り付いた洗濯物の近傍の回転ドラム５の背面に配設された背面透孔３９および回転ドラム５の外周に配設された多数の透孔７を介して洗濯物に効率よく吹き付けられるとともに、回転ドラム５の背面近傍からの伝導熱が洗濯物へ伝わることによって最終脱水行程中に洗濯物から水分を次第に除去することから洗濯物の回転ドラム５への密着力が低下する。
【００３８】
その後、剥離行程に入り、制御手段５２において回転ドラム５の回転数がＮ４の制御指令を出力すると、回転ドラム５の背面近傍の内壁に張り付いた洗濯物が簡単に剥離され、脱水行程終了時には全ての洗濯物が回転ドラム５内で剥がれ落ちた状態となっているため、蓋体２３を開けて洗濯物を取り出す際に、取り出しが簡単で回転ドラム５の内壁上面に張り付いたままの洗濯物がないため出し忘れもない。
【００３９】
なお、制御手段５２は冷却用給水弁１０をＯＮにし冷却用ホース１８を介して給水口金部４５から冷却水を流し乾燥行程と同様に乾燥機能を動作させることにより、更に除湿の効果が上がり剥離行程において簡単に洗濯物を剥離できる。
【００４０】
なお、洗濯物の水分を奪うのに送風ファン１４およびヒータ１６をＯＮさせて熱風を洗濯物に吹き付けたが、送風ファン１４のみＯＮでも最終脱水行程中に回転ドラム５背面に設けた背面透孔３９および回転ドラム５の外周に設けた多数の透孔７を介して洗濯物に効率よく吹き付けられることから、洗濯物を回転ドラム５へ密着させている水分を除去し回転ドラム５への密着力が低下し、剥離行程において回転ドラム５の内壁に張り付いた洗濯物が簡単に剥がれ落ちる効果がある。
【００４１】
なお、前記脱水行程の前行程として図５の最終脱水行程の回転数Ｎ３を低くした（例えば４５０ｒ／ｍｉｎ）予備脱水行程を追加し、前記予備脱水のはじめおよび途中から送風ファン１４とヒータ１６もしくは送風ファン１４のみをＯＮさせると更に剥離行程における洗濯物の剥離に効果がある。
【００４２】
また、設定手段５４の設定により洗濯行程、すすぎ行程、脱水行程の終了後、脱水された洗濯物を乾燥させるために乾燥行程を実行できるが、洗濯物が脱水行程の剥離行程において回転ドラム５の内壁から簡単に剥がれ落ちているので乾燥時に攪拌されている洗濯物に満遍なく温風があたり、洗濯物の乾燥ムラ、しわを低減したふんわりとした仕上げにすることが可能となる。
【産業上の利用可能性】
【００４３】
以上のように、本発明にかかるドラム式洗濯乾燥機は、脱水行程終了時に簡単に全ての洗濯物が回転ドラムの内壁から剥がれ落ちるため、洗濯物の取り出しが簡単で一部の洗濯物の出し忘れもない。また、脱水行程に続き乾燥行程を行ったときに回転ドラムの内壁から全ての洗濯物が剥がれ落ちているため洗濯物に満遍なく温風があたり乾燥ムラ、しわがなくふんわりと仕上げることができるので斜め方向に回転中心軸を有する回転ドラム内で洗濯、すすぎ、脱水、乾燥などの各行程を逐次制御するドラム式洗濯乾燥機として有用である。
【図面の簡単な説明】
【００４４】
【図１】本発明の第１の実施の形態のドラム式洗濯乾燥機の縦断面図
【図２】同ドラム式洗濯乾燥機の別の部位での縦断面図
【図３】同ドラム式洗濯乾燥機の水受け槽および回転ドラムの直径方向断面図
【図４】同ドラム式洗濯乾燥機の制御装置の構成を示すブロック図
【図５】同ドラム式洗濯乾燥機要部動作タイムチャート
【図６】従来のドラム式洗濯乾燥機の断面斜視図
【符号の説明】
【００４５】
３  水受け槽
３ａ  送風ダクト
５  回転ドラム
６  モータ
７  透孔
１４  送風ファン（送風手段）
１６  ヒータ（加熱手段）
３２  送風口
３９  背面透孔
４０  熱交換部材（熱交換器）
５２  制御手段
【図１】
2006136600.tif 000003
【図２】
2006136600.tif 000004
【図３】
2006136600.tif 000005
【図４】
2006136600.tif 000006
【図５】
2006136600.tif 000007
【図６】
2006136600.tif 000008